(57)【特許請求の範囲】
【請求項１】
心電波形を測定する心電測定装置で測定し、測定した心電波形をグラフ表示装置で表示する心電図表示装置において、測定データを蓄積する蓄積メモリと、この蓄積メモリに蓄積された測定データに基づき心電波形を時系列的に表示するためのグラフ表示データに変換する変換手段と、グラフデータに変換されたデータを格納する画像メモリと、この画像メモリから得られるグラフ表示データを表示する表示装置と、を備え、前記画像メモリは前記表示装置において３つ以上のグラフ表示が可能な画像領域を有し、１つの画像領域には、少なくとも２つ以上の他の画像領域に与える測定データに基づくグラフ表示データが格納されるように、前記変換手段が少なくとも連続する２つ以上の他の画像領域に与える測定データの波形ピッチを変換して1つの画像領域に表示するグラフ表示データに変換して当該画像領域に与えるとともに、測定データの過去の表示データを消去する際に、古いグラフ表示データが格納されている領域を一括で消去し、消去した領域に新しいグラフ表示データを格納することを特徴とする心電図表示装置。
【発明の詳細な説明】
【０００１】
【発明が属する技術分野】
この発明は、心電波形を測定し、ＣＲＴなどの表示装置に心電波形を表示する心電図表示装置に関する。
【０００２】
【従来の技術】
心電波形を測定する測定機器と表示する表示機器がそれぞれ独立し、それぞれ機器がＬＡＮなどの通信手段により接続され、測定している場所と異なる場所で心電波形を表示し、観察するシステムが提供されている。
【０００３】
図６に上記したシステムを構成した心電図表示装置の一例を示す。図６は、心電波形を心電測定装置で測定し、測定した心電波形をグラフ表示装置で表示する心電図表示装置の構成を示すブロック図である。
【０００４】
図６に示すように、心電波形を測定する心電測定装置１と、グラフ表示装置４に測定データを表示させるための処理を行う端末装置２とがＬＡＮなどの通信ケーブル３により接続されている。このため、心電測定装置１には、心電波形を測定するための機能と測定した測定データをＬＡＮなどの通信プロトコルに則してデータを送信する送信機能を備えている。また、端末装置２は、心電測定装置１から送られてきた測定データを受信し、ＣＲＴ、液晶表示パネルなどからなるグラフ表示装置４に表示するためのデータに処理し、所定の表示間隔でグラフ表示装置４に表示データを与えるものである。
【０００５】
心電図測定器１が心電図を測定すると、測定して得られたデータを図示しない送信手段により、通信ケーブル３を介して端末装置２へ送る。端末装置２は心電測定装置１から送られてくる測定データを受信インターフェース２１で受信する。受信インターフェース２１は測定データの受信をこの端末装置２の動作を制御するコントローラ２０に通知する。コントローラ２０は、受信インターフェース２１に測定データが与えられると、蓄積メモリ２２のアドレス指定を行い、蓄積メモリ２２に測定データを蓄積させる。コントローラ２０は、蓄積メモリ２２にある一定以上の測定データが蓄積された後に、測定データの読み出しを行う。
【０００６】
コントローラ２０は、心電図測定器１の測定間隔に対応した表示間隔に従い蓄積メモリ２２より測定データを読み出し、変換部２３に与える。変換部２３では、測定データをグラフィック表示に対応したデータに変換し、画像メモリ２４に与える。この画像メモリ２４からグラフ表示装置４にそのグラフィックデータが与えられる。グラフ表示装置４は、与えられたデータに基づき、心電図波形をモニター上に表示する。
【０００７】
図６のブロック図では、変換部２３、コントローラ２０と機能的ブロックで記載しているが、これら機能をＣＰＵとこのＣＰＵを動作させるソフトウェアを格納させたＲＯＭとで構成し実現させることができる。
【０００８】
次に、上記した心電図表示装置において、心電波形を表示する場合の動作につき説明する。この例では、図７に示すように、グラフ表示装置４の心電図表示画面４１に上下２段に心電波形を表示している。そして、上段の第１心電図４２に左端から右側に順次心電図波形４４が表示され、上段の第１心電図４２の右端４２ｅまで心電波形が表示されると、表示位置が下段の第２心電図４３の左端に移動し、左端から右側に順次心電図波形４４が表示される。そして、下段の第２心電図４３の右端４３ｅまで心電波形が表示されると、表示位置が上段の第１心電図４２の左端に移動し、左端から右側に順次心電図波形４４が表示される。この動作を繰り返して、グラフ表示装置４の表示画面４１に心電測定装置１で測定した心電波形が表示される。
【０００９】
上記動作を図８及び図９のフロー図に従い説明する。図８に示すように、測定動作を開始すると、まず、画像メモリ４を初期化し（ステップＳ１）、心電測定装置１から測定データが送られてくるまで待機する（ステップＳ２）。測定データが送られてくると蓄積メモリ２２に測定データを保存し（ステップＳ３）、蓄積メモリ２２に測定データが所定量蓄積されるまで、ステップＳ２に戻り上記動作を繰り返す（ステップＳ４）。蓄積メモリ２２に測定データが所定量蓄積されると、表示開始動作にはいる。
【００１０】
図９に示すように、表示開始動作にはいると、まず、受信インターフェース２１に測定データがあるか否か確認し（ステップＳ１０１）、測定データがあれば、蓄積メモリ２２に測定データを保存し（ステップＳ１０２）する。そして、蓄積メモリ２２の測定データを変換部２３でグラフデータに変換する動作を行う（ステップＳ１０３）。ステップＳ１０１で測定データがない場合には、直ちにステップＳ１０３に進み、蓄積メモリ２２の測定データをグラフデータに変換する動作を行う。この変換部２３は、蓄積メモリ２２から書き込まれた測定データ順序で測定データを読み出してグラフデータへの変換動作を行う。予め蓄積メモリ２２には、図８に示すように、測定動作が開始されると、表示開始動作までに、所定量の測定データが蓄積されている。このため、受信インターフェース２１に測定データが無くても、蓄積メモリ２２に蓄積されている測定データを順次読み出し、グラフ表示装置４で心電波形を表示することができる。
【００１１】
続いて、グラフ表示装置４における表示位置を計算し（ステップＳ１０４）、計算した表示位置が上段の第１心電図４２の右端の位置か否か判断する（ステップＳ１０５）。ステップ１０５にて、上段の右端と判断されると、ステップＳ１０６に進み、表示位置を下段の第２心電図４３の左端位置に設定し、ステップＳ１０７に進む。
【００１２】
ステップ１０５にて、上段の右端でない判断されると、そのままステップＳ１０７に進む。
【００１３】
ステップ１０７では、計算した表示位置が下段の第２心電図４３の右端の位置か否か判断し、下段の右端と判断されると、ステップＳ１０８に進み、表示位置を上段の第１心電図４２の左端位置に設定し、ステップＳ１０９に進む。ステップ１０７にて、下段の右端でない判断されると、そのままステップＳ１０９に進む。
【００１４】
ステップ１０９では、１つの測定データをグラフデータに変換したドットデータを算出した表示位置に対応する画像メモリの領域に書き込み、グラフ表示装置４に１測定データを表示させる。
【００１５】
続いて、グラフ表示装置４における消去位置、すなわち上記の表示位置より１つ先に位置するグラフ表示位置を計算して消去位置を求め（ステップＳ１１０）、計算した消去位置が上段の第１心電図４２の右端の位置か否か判断する（ステップＳ１１１）。ステップ１１１にて、上段の右端と判断されると、ステップＳ１１２に進み、消去位置を下段の第２心電図４３の左端位置に設定し、ステップＳ１１３に進む。
【００１６】
ステップＳ１１１にて、上段の右端でない判断されると、そのままステップＳ１１３に進む。
【００１７】
ステップ１１３では、計算した消去位置が下段の第２心電図４３の右端の位置か否か判断し、下段の右端と判断されると、ステップＳ１１４に進み、消去位置を上段の第１心電図４２の左端位置に設定し、ステップＳ１１５に進む。ステップ１１３にて、下段の右端でない判断されると、そのままステップＳ１１５に進む。
【００１８】
ステップ１１５では、算出した消去位置に対応する画像メモリの領域から１データグラフ分を消去し、ステップＳ１０１に戻り、前述の動作を繰り返す。このようにして、逐次データを消去しつつ新たな測定データを表示し、図７に示すように、グラフ表示装置４の表示画面４１に心電波形が表示される。
【００１９】
【発明が解決すべき課題】
ところで、上記システムでは、処理速度の遅いＣＰＵを使用した場合、１つのデータ表示に新しいデータの表示と、古いデータの消去を行うと、表示位置計算とドット単位のデータの表示、消去位置計算とドット単位消去処理が必要で、これらに掛かる時間が多くなり、表示が遅れる場合があった。また、一括消去した場合、過去のデータが一度に消えてしまうため、過去のデータを確認することが困難な場合があった。
【００２０】
この発明は、心電波形を測定し表示する際に、表示が停止や遅れることなく心電波形を表示し、かつ、過去のデータも一定時間は消去されない装置を提供することを目的とする。
【００２１】
【課題を解決すべき手段】
この発明は、心電波形を測定する心電測定装置で測定し、測定した心電波形をグラフ表示装置で表示する心電図表示装置において、測定データを蓄積する蓄積メモリと、この蓄積メモリに蓄積された測定データに基づき心電波形を時系列的に表示するためのグラフ表示データに変換する変換手段と、グラフデータに変換されたデータを格納する画像メモリと、この画像メモリから得られるグラフ表示データを表示する表示装置と、を備え、前記画像メモリは前記表示装置において３つ以上のグラフ表示が可能な画像領域を有し、１つの画像領域には、少なくとも２つ以上の他の画像領域に与える測定データに基づくグラフ表示データが格納されるように、前記変換手段が少なくとも連続する２つ以上の他の画像領域に与える測定データの波形ピッチを変換して1つの画像領域に表示するグラフ表示データに変換して当該画像領域に与えるとともに、測定データの過去の表示データを消去する際に、古いグラフ表示データが格納されている領域を一括で消去し、消去した領域に新しいグラフ表示データを格納することを特徴とする。
【００２２】
上記の構成によれば、心電図のグラフ表示を３つ以上行い、1つのグラフを描画する前に、過去に表示されているデータを一括で消去する。一括消去したほうが、消去位置計算の必要がなくなり、処理の累計時間が少なくてすむことから、ＣＰＵへの負担が少なくてすむ。また、1つのグラフのデータが消去されても、別のグラフにデータが表示されているため、過去のデータを参照することができる。そして、１つの画像領域には、少なくとも２つ以上の他の画像領域に与える測定データに基づくグラフ表示データが格納されるように、変換手段が少なくとも連続する２つ以上の他の画像領域に与える測定データの波形ピッチを変換して1つの画像領域に表示するグラフ表示データに変換することにより、連続した心電波形図を観察することができる。
【００２７】
【発明の実施の形態】
以下、この発明の実施形態につき図面を参照して説明する。図１は、この発明の実施形態に係る心電図表示装置の構成を示すブロック図である。なお、図６に示すものと同一構成のものは同一符号を付す。
【００２８】
図１に示すように、心電波形を測定する心電測定装置１と、グラフ表示装置４に測定データを表示させるための処理を行う端末装置２とがＬＡＮなどの通信ケーブル３により接続されている。また、端末装置２は、心電測定装置１から送られてきた測定データを受信し、ＣＲＴ、液晶表示パネルなどからなるグラフ表示装置４に表示するためのデータに処理し、所定の表示間隔でグラフ表示装置４に表示データを与える。そして、グラフ表示装置４では上下２段に分けて順次心電図波形が表示される。
【００２９】
心電図測定器１が心電図を測定すると、測定して得られたデータを図示しない送信手段により、通信ケーブル３を介して端末装置２へ送る。端末装置２は心電測定装置１から送られてくる測定データを受信インターフェース２１で受信する。受信インターフェース２１は測定データの受信をこの端末装置２の動作を制御するコントローラ２０に通知する。コントローラ２０は、受信インターフェース２１に測定データが与えられると、蓄積メモリ２２のアドレス指定を行い、蓄積メモリ２２に測定データを蓄積させる。コントローラ２０は、蓄積メモリ２２にある一定以上の測定データが蓄積された後に、測定データの読み出しを行う。
【００３０】
コントローラ２０は、心電図測定器１の測定間隔に対応した表示間隔に従い蓄積メモリ２２より測定データを読み出し、変換部２３に与える。変換部２５では、測定データをグラフィック表示に対応したデータに変換し、画像メモリ２４ａの第１領域２４１または第２領域２４２に与える。そして、この画像メモリ２４ａからグラフ表示装置４にそのグラフィックデータが与えられる。グラフ表示装置４は、与えられたデータに基づき、心電図波形をモニター上に表示する。なお、画像メモリ２４ａの第１領域２４１は図２に示す表示画面４１の第１心電図４２に対応する領域であり、または第２領域２４２は、表示画面４１の第２心電図４３に対応する領域である。
【００３１】
図１のブロック図においても、変換部２３、コントローラ２０と機能的ブロックで記載しているが、これら機能をＣＰＵとこのＣＰＵを動作させるソフトウェアを格納させたＲＯＭとで構成し実現させることができる。
【００３２】
さて、この発明の実施形態では、図２に示すように、グラフ表示装置４の心電図表示画面４１に上下２段に分割して心電波形４４を表示している。そして、上段の第１心電図４２に左端から右側に順次心電図波形４４が表示され、上段の第１心電図４２の右端４２ｅまで心電波形が表示されると、表示位置が下段の第２心電図４３の左端に移動する。このとき、この実施形態では、上段の第１心電図４２の右端４２ｅに達したとき、表示位置を下段の第２心電図４３の左端に移動させる前に、第２心電図４３を表示するための画像メモリ２４ａの第２領域２４２に格納しているグラフデータを一括消去する。
【００３３】
続いて、下段の第２心電図４３の左端から右側に順次心電図波形４４が表示される。そして、下段の第２心電図４３の右端４３ｅまで心電波形が表示されると、表示位置が上段の第１心電図４２の左端に移動する。このとき、下段の第２心電図４３の右端４３ｅに達したとき、表示位置を上段の第１心電図４２の左端に移動させる前に、第１心電図４２を表示するための画像メモリ２４ａの第１領域２４１に格納しているグラフデータを一括消去する。続いて、上段の第１心電図４２の左端から右側に順次心電図波形４４が表示される。この動作を繰り返して、グラフ表示装置４の表示画面４１に心電測定装置１で測定した心電波形が表示される。
【００３４】
ドット単位の消去を使用して全ての消去を行う時間は、バイトやワード単位で消去を行う一括消去のほうが、処理時間が少ないことが知られている。上記のように、この実施形態では、第１心電図４２を表示するための画像メモリ２４ａの第１領域２４１または第２心電図４３を表示するための画像メモリ２４ａの第２領域２４２一括消去を行っている。一括消去したほうが、消去位置計算の必要がなくなり、処理の累計時間が少なくてすむことから、ＣＰＵへの負担が少なくてすむ。この結果、処理速度が遅いＣＰＵを用いても表示を遅らせることなく心電図の表示が行える。また、1つの心電図のグラフのデータが消去されても、別の心電図のグラフにデータが表示されているため、過去のデータを参照することができる。
【００３５】
上記動作を図３のフロー図に従い説明する。この実施形態においても、上述した例と同じく測定動作を開始すると、まず、画像メモリ４を初期化し、心電測定装置１から測定データが送られてくるまで待機する。測定データが送られてくると蓄積メモリ２２に測定データを保存し、蓄積メモリ２２に測定データが所定量蓄積されるまで待機した後、表示開始動作にはいる（図８参照）。
【００３６】
表示開始動作にはいると、まず、受信インターフェース２１に測定データがあるか否か確認し（ステップＳ１１）、測定データがあれば、蓄積メモリ２２に測定データを保存し（ステップＳ１２）する。そして、蓄積メモリ２２の測定データを変換部２３でグラフデータに変換する動作を行う（ステップＳ１３）。ステップＳ１１で測定データがない場合には、直ちにステップＳ１３に進み、蓄積メモリ２２の測定データをグラフデータに変換する動作を行う。この変換部２３で蓄積メモリ２２から書き込まれた測定データ順序で測定データを読み出してグラフデータに変換する動作を行う。予め蓄積メモリ２２には、表示開始動作までに、所定量の測定データが蓄積されている。このため、受信インターフェース２１に測定データが無くても、蓄積メモリ２２に蓄積されている測定データを順次読み出し、グラフ表示装置４で心電波形を表示することができる。
【００３７】
続いて、グラフ表示装置４における表示位置を計算し（ステップＳ１４）、計算した表示位置が上段の第１心電図４２の右端の位置か否か判断する（ステップＳ１５）。ステップ１５にて、上段の右端と判断されると、ステップＳ１６に進み、表示位置を下段の第２心電図４３の左端位置に設定し、ステップＳ１７に進む。ステップＳ１８では、第２心電図４２を表示するための画像メモリ２４ａの第２領域２４２に格納しているグラフデータを一括消去し、ステップＳ１８に進む。
【００３８】
ステップ１５にて、上段の右端でない判断されると、そのままステップＳ１８に進む。
【００３９】
ステップ１８では、計算した表示位置が下段の第２心電図４３の右端の位置か否か判断し、下段の右端と判断されると、ステップＳ１９に進み、表示位置を上段の第１心電図４２の左端位置に設定し、ステップＳ２０に進む。ステップＳ２０では、第１心電図４２を表示するための画像メモリ２４ａの第１領域２４１に格納しているグラフデータを一括消去し、ステップＳ２１に進む。
【００４０】
ステップ１８にて、下段の右端でない判断されると、そのままステップＳ２１に進む。
【００４１】
ステップ２１では、１つの測定データをグラフデータに変換したドットデータを算出した表示位置に対応する画像メモリ２４ａの領域に書き込み、グラフ表示装置４に１測定データを表示する。そして、ステップＳ１１に戻り、前述の動作を繰り返す。このようにして、図４に示すように、グラフ表示装置４の表示画面４１に心電波形が表示される。
【００４２】
図４は、上記したこの実施形態の動作によるグラフ表示装置４の表示画面４１に表示される心電図波形を時系列的に示した模式図である。この図４に従い、この発明の実施形態の心電図表示につき更に説明する。上記したように、この実施形態では、グラフ表示装置４の心電図表示画面４１に上下２段に分割して心電波形４４を表示している。心電測定装置１により測定が開始されると、画像メモリ２４が初期化されるので、心電図表示画面４１には、心電波形が表示されていない状態となる。そして、測定データが蓄積メモリ２２に所定量蓄積されると、まず、上段の第１心電図４２に左端から右側に順次心電図波形４４が表示される（図４（ａ）参照）。
【００４３】
心電波形が上段の第１心電図４２の右端まで心電波形が表示されると第２心電図４３を表示するための画像メモリ２４ａの第２領域２４２に格納しているグラフデータを一括消去する。ただし、測定開始直後は第２心電図４３の領域にはデータが何も表示されていないので、心電図表示画面４１上の第２心電図４３には、変化がない（同図（ｂ）参照）。そして、下段の第２心電図４３の左端から右側に順次心電図波形４４が表示される（同図（ｃ）（ｄ）参照）。
【００４４】
下段の第２心電図４３の右端まで心電波形が表示されると（同図（ｅ）参照）、表示位置を上段の第１心電図４２の左端に移動させる。このとき、表示位置を上段の第１心電図４２の左端に移動させる前に、第１心電図４２を表示するための画像メモリ２４の第１領域２４１に格納しているグラフデータを一括消去する（同図（ｆ）参照）。
【００４５】
続いて、上段の第１心電図４２に左端から右側に順次心電図波形４４が表示される（同図（ｇ）参照）。心電波形が上段の第１心電図４２の右端まで心電波形が表示されると（同図（ｈ）参照）、表示位置を下段の第２心電図４３の左端に移動させる。このとき、表示位置を下段の第２心電図４３の左端に移動させる前に、第２心電図４３を表示するための画像メモリ２４の第２領域２４２に格納しているグラフデータを一括消去する（同図（ｉ）参照）。その後、同図（ｃ）の状態に戻り、順次上記動作及び表示が繰り返されることになる。
【００４６】
なお、観察者が心電図波形の異常等を観察するために、心電波形の表示を停止させるように構成することができる。この場合、心電図波形を停止させるように端末装置２に図示しないキーボードなどにより命令を与えると、命令が与えられた状態で、第１心電図４２、第２心電図４３とも心電波形が停止した状態となる。そして、測定データの表示を再開させると、一旦画像メモリ２４ａを初期化し、図４（ａ）の状態から表示が再開される。
【００４７】
次に、この発明の実施形態につき説明する。図５は、この発明の実施形態の動作によるグラフ表示装置４の表示画面４１に表示される心電図波形を時系列的に示した模式図である。図５に従い実施形態につき説明する。
【００４８】
上記した実施形態においては、グラフ表示装置４の心電図表示画面４１に上下２段に分割して心電波形４４を表示しているのに対して、この実施形態は、心電図表示画面４１を３つの表示領域に分割している。そして、下の２つの領域４２、４３は、上記した実施形態と同じく、第１心電図４２、第２心電図４３として、心電測定装置１から送られてくる測定データに基づき交互に心電波形４４を表示する。すなわち、中段の第１心電図４２の右端まで心電波形が表示されると、表示位置が下段の第２心電図４３の左端に移動する。このとき、この上記実施形態と同様に、中段の第１心電図４２の右端に達したとき、表示位置を下段の第２心電図４３の左端に移動させる前に、第２心電図４３を表示するための画像メモリ２４ａの第２領域２４２に格納しているグラフデータを一括消去する。
【００４９】
続いて、下段の第２心電図４３の左端から右側に順次心電図波形４４が表示される。そして、下段の第２心電図４３の右端まで心電波形が表示されると、表示位置が中段の第１心電図４２の左端に移動する。このとき、下段の第２心電図４３の右端に達したとき、表示位置を中段の第１心電図４２の左端に移動させる前に、第１心電図４２を表示するための画像メモリ２４ａの第１領域２４１に格納しているグラフデータを一括消去する。続いて、中段の第１心電図４２の左端から右側に順次心電図波形４４が表示される。この動作を繰り返して、グラフ表示装置４の表示画面４１に心電測定装置１で測定した心電波形が表示される。
【００５０】
そして、最上段の第３心電図４５は、第１心電図４２、第２心電図４３の２つの表示データが表示できるように構成されている。すなわち、第３心電図４５に表示される心電波形４４ａのピッチがこの実施形態では、第１心電図４２、第２心電図４３の波形の１／２に構成されている。このように、構成することで第１心電図４２と第２心電図４３との境界になる部分を第３心電図４５により連続して表示させることができる。尚、上段の第３心電図４５の右端４３ｅまで心電波形が表示されると、表示位置が第３心電図４５の左端に移動させる（図５（ｅ）参照）。このとき、第３心電図４５を表示するための画像メモリ２４の対応する領域に格納しているグラフデータを一括消去する（図５（ｆ）参照）。この結果、第３心電図４５に表示される過去のデータは消去されることになるが、この場合の過去のデータは第１心電図４２、第２心電図４３のどちらかに表示されているので、その心電図を参考にすればよい。
【００５１】
図５（ｇ）以降、第３心電図４５に心電波形４４ａが順次表示されてゆく。尚、第１心電図４２、第２心電図４３の動作、表示状態は上記した図４に示すものと実質的に同じであるので、ここでは説明を省略する。
【００５２】
尚、この実施形態においても、観察者が心電図波形の異常等を観察するためなどに、心電波形の表示を停止させるように構成することができる。この場合、心電図波形を停止させるように端末装置２に図示しないキーボードなどにより命令を与えると、命令が与えられた状態で、第１心電図４２、第２心電図４３とも心電波形が停止した状態となる。ただし、第３心電図４５のみは測定データに基づく表示を継続するように構成する。このように構成することで、注意深く観察する部分と連続した心電波形の状態を同時に観察することができる。
【００５３】
この実施形態においても測定データの表示を再開させると、一旦画像メモリ２４ａを初期化し、図５（ａ）の状態から表示が再開される。
【００５４】
尚、上記した実施形態においては、心電測定装置１と端末装置２とをＬＡＮなどの通信ケーブル３で接続した例について述べたが、心電測定装置１と端末装置２とを別々の機器で構成し、両者をＩＥＥＥ１３９４のシリアルケーブルやＳＣＳＩケーブルなどに接続する構成においてもこの発明は適用することができる。
【００５５】
【発明の効果】
以上説明したように、この発明によれば、処理能力が劣るＣＰＵを用いても心電波形が遅れることなく表示することができる。また、表示されているデータを一括で消去しても、過去のデータは他のグラフに表示されているため、過去のデータを一定時間は参照することができる。更に、連続した心電波形図を観察することができる。
【図面の簡単な説明】
【図１】  この発明の実施形態に係る心電図表示装置の構成を示すブロック図である。
【図２】  心電図表示の構成を示す模式図である。
【図３】    この発明の実施形態に係る表示動作のフロー図である。
【図４】  この発明の実施形態の動作によるグラフ表示装置４の表示画面４１に表示される心電図波形を時系列的に示した模式図である。
【図５】  この発明の実施形態の動作によるグラフ表示装置４の表示画面４１に表示される心電図波形を時系列的に示した模式図である。
【図６】  心電波形を心電測定装置で測定し、測定した心電波形をグラフ表示装置で表示する心電図表示装置の構成を示すブロック図である。
【図７】  心電図表示の構成を示す模式図である。
【図８】  測定を開始してから表示開始するまでの動作を示すフロー図である。
【図９】  表示開始動作を示すフロー図である。
【符号の説明】
１  心電測定装置
２  端末装置
３  通信ケーブル
４  グラフ表示装置
２０  コントローラ
２１  受信インターフェース
２２  蓄積メモリ
２３  変換部
２４ａ  画像メモリ
２４１  第１領域
２４２  第２領域
４１  心電図表示画面
４２  第１心電図
４３  第２心電図
４４  心電波形
【図１】
0003946053.tif 000002
【図２】
0003946053.tif 000003
【図３】
0003946053.tif 000004
【図４】
0003946053.tif 000005
【図５】
0003946053.tif 000006
【図６】
0003946053.tif 000007
【図７】
0003946053.tif 000008
【図８】
0003946053.tif 000009
【図９】
0003946053.tif 000010